【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
コンピューティング装置を使用して、レンズの少なくとも１つのパラメータを決定する方法であって、
画像取り込み装置によって取り込まれた画像内の画像化された物体を識別し、前記画像化された物体は、レンズを介して前記画像取り込み装置によって取り込まれた物体の画像を含む、識別するステップと、
角度基準値を決定し、前記画像が取り込まれた場合、前記角度基準値は、前記レンズの面と前記画像取り込み装置の面との間の相対角度に基づく、決定するステップと、
前記角度基準値と前記画像化された物体とに基づいて、前記レンズの前記少なくとも１つのパラメータを決定するステップと、
を含む方法。
【請求項２】
前記画像取り込み装置によって取り込まれた前記画像の１つ以上の要素に基づいて、前記角度基準値を決定するステップを含む請求項１に記載の方法。
【請求項３】
前記画像取り込み装置によって取り込まれた前記画像内で画像化された基準要素を識別するステップと、前記画像化された基準要素の寸法に基づいて、前記角度基準値を決定するステップとを含む請求項２に記載の方法。
【請求項４】
前記レンズを含む眼鏡の画像に基づいて、前記角度基準値を決定するステップを含む請求項１に記載の方法。
【請求項５】
前記画像取り込み装置によって取り込まれた複数の画像に基づいて、前記レンズの前記少なくとも１つのパラメータを決定し、前記複数の画像は、前記レンズの前記面と前記画像取り込み装置の前記面との間の複数の相対角度に対応する、決定するステップを含み、
前記複数の画像内の第１の画像は、第１の相対角度で前記レンズを介して前記画像取り込み装置によって取り込まれた前記物体の第１の画像を含み、
前記複数の画像内の第２の画像は、前記第１の相対角度と異なる第２の相対角度で前記レンズを介して前記画像取り込み装置によって取り込まれた前記物体の第２の画像を含む、請求項１〜４のいずれか一項に記載の方法。
【請求項６】
前記複数の相対角度に対応する複数の推定パラメータ値に基づく前記レンズの前記少なくとも１つのパラメータと、前記第１の画像に基づく前記レンズのパラメータの第１の推定値を含む前記複数の推定値と、前記第２の画像に基づく前記レンズの前記パラメータの第２の推定値と、を決定する方法を含む請求項５に記載の方法。
【請求項７】
前記複数の相対角度の事前に定義された機能を最小化することにより前記レンズの前記少なくとも１つのパラメータを決定するステップを含み、
前記事前に定義された機能は、特定の相対角度に対する前記レンズの前記パラメータの計算値と、前記特定の相対角度に対する前記レンズの前記パラメータの推定値との間の差に基づき、
前記特定の相対角度に対する前記レンズの前記パラメータの前記計算値は、前記レンズの前記パラメータの公称値と前記特定の相対角度とに基づき、
前記特定の相対角度に対する前記レンズの前記パラメータの前記推定値は、前記特定の相対角度に対応する画像に基づく請求項６に記載の方法。
【請求項８】
前記第１の画像に基づいて、前記第１の相対角度を決定するステップと、前記第２の画像に基づいて、前記第２の相対角度を決定するステップと、を含む請求項５〜７のいずれか一項に記載の方法。
【請求項９】
前記複数の相対角度で前記複数の画像を取り込むために前記レンズを移動させることをユーザに指示することをユーザーインターフェースに実行させるステップを含む請求項５〜８のいずれか一項に記載の方法。
【請求項１０】
第１の距離と第２の距離とに基づいて、前記レンズの前記少なくとも１つのパラメータを決定するステップを含み、前記第１の距離は、前記物体と前記画像取り込み装置との間であり、前記第２の距離は、前記物体と前記レンズとの間である請求項１〜９のいずれか一項に記載の方法。
【請求項１１】
前記画像取り込み装置によって取り込まれた前記画像内で画像化された基準物体に基づいて、前記第１の距離と前記第２の距離の少なくとも１つを決定するステップを含む請求項１０に記載の方法。
【請求項１２】
前記物体の鏡像に基づく前記レンズの前記少なくとも１つのパラメータを決定するステップを含み、
前記画像取り込み装置は、モバイル装置のカメラを含み、前記物体は、前記モバイル装置のディスプレイに表示された物体を含み、前記物体の前記鏡像は、前記表示された物体の鏡からの反射を含む請求項１〜１１のいずれか一項に記載の方法。
【請求項１３】
グラフィックディスプレイをトリガして前記物体を表示する、トリガするステップと、
前記画像取り込み装置によって前記グラフィックディスプレイの画像の取り込みをトリガするステップと、を含む請求項１〜１２のいずれか一項に記載の方法。
【請求項１４】
前記物体は、円対称物体を含む請求項１〜１３のいずれか一項に記載の方法。
【請求項１５】
前記物体は、複数の同心リングを含む請求項１〜１４のいずれか一項に記載の方法。
【請求項１６】
前記レンズの前記少なくとも１つのパラメータは、前記レンズの球面度数を含む請求項１〜１５のいずれか一項に記載の方法。
【請求項１７】
前記レンズの前記少なくとも１つのパラメータは、前記レンズの円柱度数または前記レンズの円柱軸の少なくとも１つを含む、請求項１〜１６のいずれか一項に記載の方法。
【請求項１８】
前記レンズの前記少なくとも１つのパラメータは、前記レンズの中心または前記レンズと他のレンズを含む眼鏡に対応する瞳孔間距離（ＰＤ）の少なくとも１つを含む、請求項１〜１７のいずれか一項に記載の方法。
【請求項１９】
請求項１〜１８のいずれか一項に記載の方法を実行するように構成された少なくとも１つのプロセッサを備えるコンピューティング装置。
【請求項２０】
少なくとも１つのコンピュータプロセッサによって実行されると、前記少なくとも１つのコンピュータプロセッサが、少なくとも１つのコンピューティング装置に、請求項１〜１８のいずれか一項に記載の方法を遂行させることを可能にするように動作可能なコンピュータ実行命令を含む記憶媒体。
【請求項２１】
請求項１〜１８のいずれか一項に記載の方法を少なくとも１つのコンピューティング装置に実行させるための手段を備える機器。
【請求項２２】
少なくとも１つのプロセッサを備え、前記プロセッサは、
グラフィックディスプレイの画像を処理して前記グラフィックディスプレイの前記画像内で第１の画像化された物体と第２の画像化された物体とを識別し、前記第１の画像化された物体は、レンズを介して画像取り込み装置によって取り込まれた前記グラフィックディスプレイの第１の物体の画像を含み、前記第２の画像化された物体は、前記レンズを介してではなく前記画像取り込み装置によって取り込まれた、前記グラフィックディスプレイの第２の物体の画像を含み、
前記第１の画像化された物体の寸法を決定し、
前記第２の画像化された物体の寸法を決定し、
前記グラフィックディスプレイの前記第１の物体の寸法と、前記グラフィックディスプレイの前記第２の物体の寸法と、前記第１の画像化された物体の前記寸法と、前記第２の画像化された物体の前記寸法とに基づいて、前記レンズの少なくとも１つのパラメータを決定することを、コンピューティング装置に実行させるように構成されたコンピューティング装置。
【請求項２３】
前記プロセッサは、前記第１の画像化された物体と、前記第２の画像化された物体と、第３の画像化された物体とに基づいて、第１のレンズおよび第２のレンズを備える眼鏡の少なくとも１つのパラメータを、前記コンピューティング装置に決定させるように構成され、
前記第１の画像化された物体は、前記眼鏡の前記第１のレンズを介して前記画像取り込み装置によって取り込まれた前記グラフィックディスプレイの前記第１の物体の前記画像を含み、前記第２の画像化された物体は、前記眼鏡の前記第１のレンズおよび前記第２のレンズを介してではなく、前記画像取り込み装置によって取り込まれた前記グラフィックディスプレイの前記第２の物体の前記画像を含み、前記第３の画像化された物体は、前記眼鏡の前記第２のレンズを介して前記画像取り込み装置によって取り込まれた前記グラフィックディスプレイの第３の物体の画像を含む請求項２２に記載のコンピューティング装置。
【請求項２４】
前記プロセッサは、前記グラフィックディスプレイの前記第１の物体の前記寸法と、前記グラフィックディスプレイの前記第２の物体の前記寸法と、前記第１の画像化された物体の前記寸法と、前記第２の画像化された物体の前記寸法とに基づく前記第１のレンズの少なくとも１つのパラメータを決定し、前記グラフィックディスプレイの前記第３の物体の寸法と、前記第３の画像化された物体の寸法と、前記グラフィックディスプレイの前記第２の物体の前記寸法と、前記第２の画像化された物体の前記寸法とに基づく前記第２のレンズの少なくとも１つのパラメータを決定することを、コンピューティング装置に実行させるように構成された請求項２３に記載のコンピューティング装置。
【請求項２５】
前記プロセッサは、前記第１の画像化された物体と、前記第２の画像化された物体と、前記第３の画像化された物体とに基づいて、前記眼鏡に対応する瞳孔間距離（ＰＤ）を前記コンピューティング装置に決定させるように構成された請求項２３又は２４に記載のコンピューティング装置。
【請求項２６】
前記プロセッサは、相対角度に基づいて、前記レンズの前記少なくとも１つのパラメータをコンピューティング装置に決定させるように構成され、前記グラフィックディスプレイの前記画像が取り込まれた場合、前記相対角度は前記レンズの平面と前記画像取り込み装置の平面との間である請求項２２〜２５のいずれか一項に記載のコンピューティング装置。
【請求項２７】
前記プロセッサは、前記グラフィックディスプレイの複数の画像と、前記レンズの平面と前記画像取り込み装置の平面との間の複数の相対角度に対応する前記複数の画像とに基づいて前記レンズの前記少なくとも１つのパラメータを、前記コンピューティング装置に決定させるように構成され、
前記複数の画像の第１の画像は、第１の相対角度で前記レンズを介して前記画像取り込み装置によって取り込まれた前記グラフィックディスプレイの前記第１の物体の第１の画像を含み、
前記複数の画像の第２の画像は、前記第１の相対角度と異なる第２の相対角度で前記レンズを介して前記画像取り込み装置によって取り込まれた前記グラフィックディスプレイの前記第１の物体の第２の画像を含む請求項２２〜２６のいずれか一項に記載のコンピューティング装置。
【請求項２８】
前記プロセッサは、前記グラフィックディスプレイの前記第１の物体の前記寸法と、前記第１の画像化された物体の前記寸法との間の倍率に基づいて、前記レンズの球面度数を、前記コンピューティング装置に決定させるように構成された請求項２２〜２７のいずれか一項に記載のコンピューティング装置。
【請求項２９】
前記プロセッサは、前記グラフィックディスプレイの前記第１の物体に対する前記第１の画像化された物体の変形に基づく前記レンズの円柱度数または前記レンズの円柱軸の少なくとも１つを、前記コンピューティング装置に決定させるように構成された請求項２２〜２８のいずれか一項に記載のコンピューティング装置。
【請求項３０】
前記プロセッサは、前記グラフィックディスプレイに前記第１および第２の物体を表示させるように、前記コンピューティング装置にトリガさせるように構成されている請求項２２〜２９のいずれか１項に記載のコンピューティング装置。
【請求項３１】
前記レンズの前記少なくとも１つのパラメータは、前記レンズの球面度数、前記レンズの円柱度数、または前記レンズの円柱軸の少なくとも１つを含む請求項２２〜３０のいずれか１項に記載のコンピューティング装置。